(57)【特許請求の範囲】
【請求項１】
冷却器と、この冷却器の下側に対応して設けられたドレンパンと、このドレンパンに受容されたドレン水を排出する排水手段を備えてなる冷却ユニットにおいて、
前記ドレンパンは、一端を中心として回動することにより下方に開放可能とされていると共に、このドレンパンには、ドレンパン上面に形成された凹陥部と、この凹陥部の前記ドレンパン他端側の上面を閉塞する閉塞板とから下側に凹陥して前記一端側に開口したドレンポケットが形成されていることを特徴とする冷却ユニット。
【発明の詳細な説明】
【０００１】
【発明の属する技術分野】
本発明は、冷却器と、この冷却器の下側に対応して設けられたドレンパンと、このドレンパンに受容されたドレン水を排出する排水手段を備えた冷却ユニットに関するものである。
【０００２】
【従来の技術】
従来よりこの種冷却ユニットは、例えばプレハブ低温庫（冷凍・冷蔵庫）や業務用冷却貯蔵庫の庫内天壁に冷却器を配置し、送風機によって天井部から庫内に強制的に冷気を対流させる構造とされている。そして、冷却器の下側にはドレンパンが設けられており、冷却器からの露や除霜水等の排水を受け、このドレンパン内に受けた排水は配水管によって庫外に排出していた。
【０００３】
ここで、図９を参照して従来のドレンパン１００を説明する。図９はドレンパン１００の斜視図である。このドレンパン１００は一端を中心として回動することにより下方に開放可能とされており、開放側から回動側にわたって徐々に低く傾斜して形成されている。そして、このドレンパン１００の上面には、開放側から回動側にわたって徐々に下側に凹陥される凹陥部１０１が形成されている。
【０００４】
この凹陥部１０１に相当するドレンパン１００の上方には、図示しないドレンポンプが設けられており、このドレンポンプによってドレンパン１００上に受容されたドレン水を外部に排水している。また、前記凹陥部１０１に相当するドレンパン１００の回動側の側面には排水口１０２が形成されており、通常は図示しない蓋部材などにより閉塞されている。そして、係るドレンポンプが故障などの理由によりドレンパン１００上のドレン水の排水が不可能となった場合には、前記排水口１０２の蓋部材を除去することにより係る排水口１０２からドレン水の排水を行う。
【０００５】
【発明が解決しようとする課題】
しかしながら、従来のドレンパン１００は、メンテナンス時などに作業員がドレンパン１００を開放した際に、前記ドレンポンプ又は排水口１０２などから排水しきれなかったドレン水がドレンパン１００から流下する問題があった。
【０００６】
そこで、本発明は従来の技術的課題を解決するために成されたものであり、排出手段によって排出しきれないドレン水がドレンパンから流下することを未然に回避することができる冷却ユニットを提供することを目的とする。
【０００７】
【課題を解決するための手段】
本発明の冷却ユニットは、冷却器と、この冷却器の下側に対応して設けられたドレンパンと、このドレンパンに受容されたドレン水を排出する排水手段を備えてなるものであって、ドレンパンは、一端を中心として回動することにより下方に開放可能とされていると共に、このドレンパンには、ドレンパン上面に形成された凹陥部と、この凹陥部の前記ドレンパン他端側の上面を閉塞する閉塞板とから下側に凹陥して一端側に開口したドレンポケットが形成されていることを特徴とする。
【０００８】
本発明によれば、冷却器と、この冷却器の下側に対応して設けられたドレンパンと、このドレンパンに受容されたドレン水を排出する排水手段を備えてなる冷却ユニットにおいて、ドレンパンは、一端を中心として回動することにより下方に開放可能とされており、このドレンパンには、下側に凹陥して一端側に開口したドレンポケットを形成したので、ドレンパン上に残留するドレン水は、ドレンパンを開放した際、ドレンポケット内に受け止められることになる。
【０００９】
これにより、メンテナンス時などに作業員がドレンパンを開放した場合にも、排水手段にて排出し切れなかったドレン水が流下する不都合を未然に防止することができるようになる。
【００１０】
特に、ドレンパン上面に形成された凹陥部と、この凹陥部のドレンパン他端側の上面を閉塞する閉塞板とからドレンポケットを形成したので、簡単な構成でドレンポケットを形成することができ、生産コストの低減を図ることが可能となるものである。
【００１１】
【発明の実施の形態】
以下、図面に基づき本発明の実施例を詳述する。図１は本発明の冷却ユニット１の斜視図、図２は本発明の冷却ユニット１のドレンパン２の開放時の斜視図、図３は冷却ユニット１の側断面図、図４はドレンパン２の開放時の冷却ユニット１の側断面図を示している。この冷却ユニット１は、例えばプレハブ冷蔵庫や低温作業場などの例えば天井面などに設置される冷却ユニットであり、前面に通風グリル３を形成した外装ケース４内に、後方から順に図示しない圧縮機や凝縮器などによって構成される冷却装置と周知の冷凍サイクルを構成する冷却器５と、通風グリル３側に冷気を吐出するシロッコファン６とにより構成されている。
【００１２】
そして、この外装ケース４の後面には、図示しない吸込口が形成されており、前記シロッコファン６が運転されると、吸込口から外装ケース４内に流入した空気は、前記冷却器５によって冷却され、シロッコファン６によって通風グリル３より貯蔵室又は作業場内を冷却する。貯蔵室又は作業場内を循環した冷気は、再び冷却ユニット１の吸込口から外装ケース４内に帰還する。
【００１３】
一方、前記冷却器５の下方には、例えば硬質合成樹脂によって真空成型されるドレンパン２が設けられる。このドレンパン２は、後端を中心として回動することにより下方に開放可能とされていると共に、ドレンパン２の下面は、前端から後端にわたって徐々に低く傾斜して形成されている。
【００１４】
また、ドレンパン２の上面には、前端から後端にわたって徐々に下側に凹陥した凹陥部２Ａが形成されている。この凹陥部２Ａの後端に位置するドレンパン２の後壁には、図５乃至図７に示す如き内方に突出して形成される突部７が形成されており、この突部７には、前後に貫通して形成された排水口７Ａが設けられている。そして、この排水口７Ａには、後方からドレンパイプ８が突部７を貫通して取り付けられると共に、このドレンパイプ８の前端には、取付部材１０が取り付けられ、ドレンパイプ８の離脱を防止している。更に、このドレンパイプ８の後端には、蓋部材としてのドレンキャップ９が取り外し自在に取り付けられている。
【００１５】
また、このドレンパン２の凹陥部２Ａの前部には、上面を閉塞する閉塞板１３が例えば接着材料などによって接着されており、凹陥部２Ａの開放側及び上面を閉塞すると共に、凹陥部２Ａの回動側を開放するドレンポケット１４を形成している。
【００１６】
一方、外装ケース４内の冷却器５の側方には、ドレンパン２の上方に位置してドレン水の排出手段としてのドレンポンプ１１が設けられている。このドレンポンプ１１は、ドレンホース１２を介して例えば冷却ユニット１が設けられる天井面などに接続されており、係るドレンホース１２によってドレンパン２上のドレン水が外部に排水される。
【００１７】
以上の構成により、前記冷却装置の除霜運転などによって冷却器５に生じたドレン水は、冷却ユニット１の下部に設けられたドレンパン２に滴下される。このドレン水は、ドレンパン２の凹陥部２Ａに貯留された後、前記ドレンポンプ１１の運転によりドレンホース１２を介して例えば冷却貯蔵庫などの天井部から外部に排水される。
【００１８】
また、係るドレンポンプ１１が故障等により正常に運転されなかった場合には、前記ドレンパン２の後壁に設けられたドレンパイプ８のドレンキャップ９を開放することにより、開口部材１０及びドレンパイプ８を介してドレンパン２の凹陥部２Ａに貯留されたドレン水を外部に排水する。
【００１９】
しかし、上述の如くドレンポンプ１１又はドレンパイプ８によって排水しきれないドレン水が生じる。係るドレンパン２上に残留するドレン水は、ドレンパン２を開放した際に、凹陥部２Ａの前方に移動し、この凹陥部２Ａの前部に設けられたドレンポケット１４内に収容される。
【００２０】
これにより、冷却ユニット１のメンテナンス時などに作業員がドレンパン２を開放した場合であっても、上述の如きドレンパン２上に残留したドレン水は、凹陥部２Ａの前部に設けられたドレンポケット１４内に収容されるため、ドレン水は床などに流下する不都合を未然に防止することができる。
【００２１】
また、上記ドレンポケット１４は、ドレンパン２の凹陥部２Ａの前部に、閉塞板１３を取り付けるという簡単な構成で係るドレンポケット１４を形成することができ、生産コストの低減を図ることが可能となる。
【００２２】
【発明の効果】
以上詳述した如く本発明によれば、冷却器と、この冷却器の下側に対応して設けられたドレンパンと、このドレンパンに受容されたドレン水を排出する排水手段を備えてなる冷却ユニットにおいて、ドレンパンは、一端を中心として回動することにより下方に開放可能とされており、このドレンパンには、下側に凹陥して一端側に開口したドレンポケットを形成したので、ドレンパン上に残留するドレン水は、ドレンパンを開放した際、ドレンポケット内に受け止められることになる。
【００２３】
これにより、メンテナンス時などに作業員がドレンパンを開放した場合にも、排水手段にて排出し切れなかったドレン水が流下する不都合を未然に防止することができるようになる。
【００２４】
特に、ドレンパン上面に形成された凹陥部と、この凹陥部のドレンパン他端側の上面を閉塞する閉塞板とからドレンポケットを形成したので、簡単な構成でドレンポケットを形成することができ、生産コストの低減を図ることが可能となるものである。
【図面の簡単な説明】
【図１】  本発明の冷却ユニットの斜視図である。
【図２】  図１の冷却ユニットのドレンパン開放時の斜視図である。
【図３】  冷却ユニットの側断面図である。
【図４】  図３の冷却ユニットのドレンパン開放時の側断面図である。
【図５】  ドレンパン部分の側面図である。
【図６】  ドレンパン開放時のドレンパン部分の側面図である。
【図７】  ドレンパンの分解斜視図である。
【図８】  ドレンパンの斜視図である。
【図９】  従来の冷却ユニットのドレンパンの斜視図である。
【符号の説明】
１  冷却ユニット
２  ドレンパン
２Ａ  凹陥部
３  通風グリル
４  外装ケース
５  冷却器
６  シロッコファン
７  突部
７Ａ  排水口
８  ドレンパイプ
９  ドレンキャップ
１０  取付部材
１１  ドレンポンプ
１２  ドレンホース
１３  閉塞板
【図１】
0003989157.tif 000002
【図２】
0003989157.tif 000003
【図３】
0003989157.tif 000004
【図４】
0003989157.tif 000005
【図５】
0003989157.tif 000006
【図６】
0003989157.tif 000007
【図７】
0003989157.tif 000008
【図８】
0003989157.tif 000009
【図９】
0003989157.tif 000010